(57)【特許請求の範囲】
【請求項１】
出入り口に開閉手段を有する防護領域に設けられ、該防護領域の火災を検出すると火災信号を出力する火災検出手段と、泡水溶液が内部に封入された泡水溶液供給手段と、前記防護領域の上部に前記泡水溶液供給手段と一体に設けられると共に、前記泡水溶液供給手段から泡水溶液が供給される放射ノズルを内部に有し、高膨張の泡を生成して外部に放出する発泡機と、前記泡水溶液供給手段に泡水溶液の供給を開始させる制御手段とを備えた高膨張泡消火装置であって、
前記開閉手段は、前記開閉手段の開動作を検出すると前記制御手段に開信号を送信し、前記開閉手段の閉動作を検出すると前記制御手段に閉信号を送信する開閉動作検出手段を有し、
前記制御手段は、前記火災検出手段からの火災信号を受信し、更に前記開閉動作検出手段から開信号を受信した後に閉信号を受信すると、前記泡水溶液供給手段に泡水溶液の供給を開始させることを特徴とする高膨張泡消火装置。
【請求項２】
前記制御手段は、前記火災検出手段からの火災信号を受信すると所定時間のカウントをするカウント手段を有し、前記制御手段は、前記カウント手段がカウントする所定時間中に前記開閉動作検出手段から開信号を受信した後に閉信号を受信すると、前記泡水溶液供給手段に泡水溶液の供給を開始させることを特徴とする請求項１記載の高膨張泡消火装置。
【請求項３】
前記制御手段は、前記カウント手段が所定時間のカウントを終了後、前記火災検出手段からの火災信号を受信すると、前記泡水溶液供給手段に泡水溶液の供給を開始させることを特徴とする請求項２記載の高膨張泡消火装置。
【発明の詳細な説明】
【技術分野】
【０００１】
この発明は、高膨張の泡を放出して消火をする高膨張泡消火装置に関する。
【背景技術】
【０００２】
個室ビデオ店や漫画喫茶等の個室型店舗或いはグループホーム等の小規模福祉施設では、個室が各利用者に提供されている。近年、このような個室提供型の小規模施設で発生する火災が増えている。
【０００３】
前記のような個室提供型の小規模施設の場合、施設全体としては小規模であるため、一般に、設備費用が高額となるスプリンクラ設備等の消火設備は設けられていない。
【０００４】
そこで、前記のような個室提供型の小規模施設に対しては、スプリンクラ消火設備よりは設備費用が小額で済むパッケージ型消火装置を設けることが考えられる。
【０００５】
パッケージ型消火装置には、水又は強化液等の消火剤が封入された消火剤容器が箱の中に収納されて、必要な装備がパッケージ化されており、前記のようにスプリンクラ消火設備を設置するよりは設備費用が小額で済むものがある（例えば、特許文献１参照）。
【先行技術文献】
【特許文献】
【０００６】
【特許文献１】特開平１１−２９９９１８号公報
【発明の概要】
【発明が解決しようとする課題】
【０００７】
しかしながら、このようなパッケージ型消火装置は、スプリンクラ消火設備と同等の消火能力を有するものとするために、消火剤容器として容量８０リットル程度の大きなものを用いており、消火剤充填後の設備本体全体の大きさや質量は相当大きなものとなる（前記特許文献１参照）。
【０００８】
個室ビデオ店、漫画喫茶等の個室型店舗は雑居ビルの一室を改築して店舗として利用していることが多く、又、グループホーム等の小規模福祉施設は一般住宅を改築して施設として利用していることが多い。このため、これら個室提供型の小規模施設に前記のような従来のパッケージ型消火装置を設ける場合、その設置スペースがなかったり、床等の耐荷重が不足するということが多々あり得る。
【０００９】
従って、従来のパッケージ型消火装置は、前記の個室提供型の小規模施設に適しているとはいえない。
【００１０】
この発明は、前記の事情に鑑み、個室提供型の小規模施設に適した消火装置を提供することを目的とする。
【課題を解決するための手段】
【００１１】
この発明は、出入り口に開閉手段を有する防護領域に設けられ、該防護領域の火災を検出すると火災信号を出力する火災検出手段と、泡水溶液が内部に封入された泡水溶液供給手段と、前記防護領域の上部に前記泡水溶液供給手段と一体に設けられると共に、前記泡水溶液供給手段から泡水溶液が供給される放射ノズルを内部に有し、高膨張の泡を生成して外部に放出する発泡機と、前記泡水溶液供給手段に泡水溶液の供給を開始させる制御手段とを備えた高膨張泡消火装置であって、前記開閉手段は、前記開閉手段の開動作を検出すると前記制御手段に開信号を送信し、前記開閉手段の閉動作を検出すると前記制御手段に閉信号を送信する開閉動作検出手段を有し、前記制御手段は、前記火災検出手段からの火災信号を受信し、更に前記開閉動作検出手段から開信号を受信した後に閉信号を受信すると、前記泡水溶液供給手段に泡水溶液の供給を開始させることを特徴とする高膨張泡消火装置である。
【００１２】
又、この発明は、前記制御手段は、前記火災検出手段からの火災信号を受信すると所定時間のカウントをするカウント手段を有し、前記制御手段は、前記カウント手段がカウントする所定時間中に前記開閉動作検出手段から開信号を受信した後に閉信号を受信すると、前記泡水溶液供給手段に泡水溶液の供給を開始させることを特徴とする高膨張泡消火装置である。
【００１３】
又、この発明は、前記制御手段は、前記カウント手段が所定時間のカウントを終了後、前記火災検出手段からの火災信号を受信すると、前記泡水溶液供給手段に泡水溶液の供給を開始させることを特徴とする高膨張泡消火装置である。
【発明の効果】
【００１７】
この発明は、発泡倍率の高い高膨張泡で防護領域を埋め尽くすことによって窒息消火をするものである。より詳細に述べると、高膨張泡を放出することで、防護領域に対して少量の泡水溶液で消火に必要な程度の量の泡を放出することができ、窒息消火が行えるので、泡水溶液供給手段中に封入する泡水溶液の量を少なくすることができる。これにより、装置全体を小さくすることができると共に、軽くすることができる。
【００１８】
従って、この発明は、消火に必要な構成を一体にして小さく形成できるので、個室提供型の小規模施設に適した消火装置を提供することができる。
【００１９】
又、この発明は、開閉手段により出入り口が開放され、その後開閉手段により出入り口が閉鎖されたら、泡水溶液の供給を開始させるようにした。更に、所定時間のカウント中にそのようにした。これにより、防護領域内にいた利用者が開閉手段を開き、防護領域から避難したと判断できる。このため、利用者が避難した後即座に防護領域に高膨張泡を放出することができ、即座に泡を放出しても利用者が避難するのを妨げない。
【００２０】
又、この発明は、所定時間をカウントし、それと火災信号のアンド条件で泡水溶液の供給を開始させるようにしたので、利用者が避難する時間を確保することができ、又、火災判断の確実性を向上させることができる。
【図面の簡単な説明】
【００２４】
【図１】この発明の高膨張泡消火装置の装置構成の一例を示すと共に、防護領域に対する配置の一例を（ａ）が平面視で、（ｂ）が側面視で、（ｃ）が正面視でそれぞれ示した図である。
【図２】同上の高膨張泡消火装置のブロック図である。
【図３】同上の高膨張泡消火装置の動作フロー図である。
【発明を実施するための形態】
【００２５】
この発明の実施形態を図１乃至３に基づいて説明する。
【００２６】
先ず、図１に基づき、この発明の一実施形態である高膨張泡消火装置１の構成例及び防護領域への配置例について説明する。尚、個室提供型の施設、例えば、個室ビデオ店では１〜２畳程の個室ブースが利用者に提供されているが、図１は、そのような個室ビデオ店の個室ブースＢを防護領域として高膨張泡消火装置１を設置する場合の例を示したものである。
【００２７】
防護領域である個室ブースＢは、利用者が個室ブースＢ内に出入りするための出入り口が備えられており、この出入り口には、開閉手段である扉Ｄを有している。
【００２８】
高膨張泡消火装置１は、火災検出手段を構成し、防護領域である個室ブースＢ内の火災を検出すると火災信号を出力する火災感知器２と、泡水溶液供給手段を構成し、泡水溶液が内部に封入された泡水溶液容器３を有している。さらに泡水溶液容器３は、封板３ｃ（常時は封止状態にあるが、火災時、即ち泡水溶液の供給時には供給される泡水溶液の圧力によって封止を解除するようになっている。泡水溶液容器３は後記するように横置きされるものであり、この封板３ｃがあることで泡水溶液の漏出を防ぐことが可能となる。）を介して配管Ｐ１により放射ノズル４ａと接続されている。さらに高膨張泡消火装置１は、泡水溶液容器３から供給される泡水溶液を放射する放射ノズル４ａを本体４ｄ内部に有し、放射ノズル４ａから放射される泡水溶液を本体４ｄの後端に設けた空気導入口４ｃから取り込んだ空気と一緒に当てることで高膨張の泡を生成して外部に放出する発泡網４ｂを、本体４ｄの先端に備えた発泡機４を有している。また、高膨張泡消火装置１は、泡水溶液容器３と共に泡水溶液供給手段を構成し、電動弁３ｂを介して配管Ｐ２により泡水溶液容器３と接続され、泡水溶液容器３から放射ノズル４ａに泡水溶液を圧送供給させるために、泡水溶液容器３に加圧ガスを供給する加圧ガス容器３ａを備えている。さらに高膨張泡消火装置１は、制御手段を構成し、火災感知器２と信号線Ｌ１により接続されると共に、電動弁３ｂと信号線Ｌ２により接続された制御盤５を備えている。この制御盤５は、火災感知器２からの火災信号を受信すると、電動弁３ｂを開放し、泡水溶液の供給を開始させるものである。特に、本実施例の高膨張泡消火装置１は、泡水溶液供給手段および発泡機４が筐体６（図示の便宜上一点鎖線で示してある。）によって一体にパッケージ化され、個室ブースＢの入り口上部に設けられたものとなっている。
【００２９】
尚、高膨張泡消火装置１において、火災感知器２としては各種火災感知器を用いることができる。例えばスポット型の火災感知器を用いてもよいことは勿論であるが、防護領域によっては光電式分離型の火災感知器を用いてもよい。一般に、個室ビデオ店の個室ブースＢは、図１に示したように、上方が天井Ｒまで仕切られており、側方だけでなく上方も閉鎖された防護領域となっている。そのような防護領域に本願高膨張泡消火装置１の火災感知器２を設ける場合は、火災感知器２を一般のスポット型の火災感知器としても、火災が発生した防護領域に限定して装置を起動させることができる。しかしながら、漫画喫茶の個室ブースＢの中には、側方の間仕切り壁が天井までは仕切られておらず、防護領域の上方が開放された防護領域となっており、その上方の開放部分を通じて防護領域間で煙が流通する防護領域となっている場合がある。そのような防護領域に本願高膨張泡消火装置１の火災感知器２を設ける場合に、火災感知器２を一般的なスポット型の火災感知器とした場合について考える。このようなスポット型の火災感知器を、監視対象とする個室ブースＢの直上の天井面にそれぞれ設置すると、火災が発生した防護領域以外の防護領域、即ち、火災が発生していない個室ブースＢの直上の天井に設けた火災感知器２も起動する可能性がある。つまり、隣の防護領域で火災が起こっているにもかかわらず、上方の開口から火災が起こっていない防護領域の上方に煙が流れてしまう。そのため、火災が起こっていない防護領域の火災感知器２が火災信号を出力することで、火災が起きていない防護領域の高膨張泡消火装置１が起動してしまう虞がある。そこで、漫画喫茶の個室ブースのように上方が開放された防護領域に高膨張泡消火装置１を設ける場合は、火災感知器２を光電式分離型の火災感知器とし、投光部及び受光部を各防護領域の壁面上端部に対向する位置に設け、各防護領域の開口のみを横断する位置に監視範囲がくるように配置する。これにより、間仕切り壁等によって上方が開放された漫画喫茶の個室ブースのような防護領域でも、火災が発生した防護領域を検出できるので、火災が発生した防護領域に限定して高膨張泡消火装置１が起動するようにできる。
【００３０】
高膨張泡消火装置１は、前記のように構成され、火災発生時には、火災感知器２の火災検出に基づき、電動弁３ｂを開放し、加圧ガス容器３ａから泡水溶液容器３にガスを供給する。ガスによって内圧が高まると、泡水溶液容器３から泡水溶液が圧送され、この泡水溶液の勢いによって封板３ｃを破ることで放射ノズル４ａから泡水溶液が放射される。放射ノズル４ａから放射された泡水溶液は、発泡機４に設けられた発泡網４ｄに当てることで高膨張泡を放出する。そして、発泡機４から個室ブースＢ内に高膨張泡を放出し、その高膨張泡により火源を覆いつつ、個室ブースＢ内を火災の消火に必要な程度埋め尽くして火災の窒息消火をすることができるようになっている。尚、高膨張泡消火装置１から放出する高膨張泡の発泡倍率としては、８０〜１０００倍程度（１０００倍を超えるものとしてもよい。）の範囲で適宜選択することができるが、例えば、７００倍程度の発泡倍率が好ましいと考えられる。
【００３１】
ここで、高膨張泡消火装置１は、前記の通り、発泡倍率の高い高膨張泡で消火をするものであり、少量の泡水溶液でも個室ブースＢで発生する火災の消火に必要な程度の量の泡を放出することができるものとなっている。即ち、高膨張泡消火装置１は、泡水溶液容器３に封入する泡水溶液の量を少なくすることができるので、泡水溶液容器３もその容量を小さなものとして、小さく、且つ軽いものとすることができる。従って、自己完結のパッケージタイプのものではあるが、装置全体を小さく、且つ軽くすることができるものとなっている。
【００３２】
よって、高膨張泡消火装置１は、個室ブースＢのような個室提供型の小規模施設で利用者に提供される個室、例えば、その個室の大きさとしては、１〜８ｍ２程度、好ましくは２〜４ｍ２程度、より好ましくは２ｍ２程度の広さのものに設置するのに適したものとなっている。
【００３３】
そして、前記のように構成された高膨張泡消火装置１は、個室ブースＢの上部に配置されたものとなっており、具体的には、個室ブースＢの出入り口の開閉手段を構成する扉Ｄのある壁Ｗの最上部、即ち天井Ｒの直下に配置されたものとなっている。この配置位置については、勿論、適宜変更することができる。
【００３４】
尚、高膨張泡消火装置１は、前記の通り、筐体６によって一体にパッケージ化されたものとなっている。具体的には、筐体６内において、泡水溶液容器３、加圧ガス容器３ａ、発泡機４の何れもが横向きに配置されたものとなっており、装置全体の高さが高くならないようになっている。又、高膨張泡消火装置１のパッケージ中、制御盤５は、筐体６内には収容されておらず、個室ブースＢの正面出入り口のある壁Ｗの外側に設けられており、制御盤５は個室ブースＢの外側から操作可能なものとなっている。更に、高膨張泡消火装置１において、発泡機４は、先端側の発泡網４ｂを筐体６より個室ブースＢの室内側に露出させている。また、発泡機４の後端側に設けられた空気導入口４ｃは、個室ブースＢの壁Ｗに形成した開口ＷＡを介して個室ブースＢの室外側に露出するように設けられている。これにより発泡機４は火災時に空気導入口４ｃから個室ブースＢの室外の煙をほとんど含んでいない空気を吸引しつつ、放射ノズル４ａから泡水溶液を放射して、発泡網４ｂに衝突させて発泡させ、高膨張泡として個室ブースＢの室内に放出することができるようになっている。
【００３５】
次に、図２は、高膨張泡消火装置１において、制御手段（制御盤５）によって制御される制御系の概要について、それをブロック図として示したものである。尚、図２は、前記で図１に基づいて説明した構成に加え、開閉動作検出手段と、手動起動手段と、警報手段と、カウント手段をさらに備えている。
【００３６】
開閉動作検出手段は、防護領域の出入り口の開閉手段（扉Ｄ）の開閉動作を検出するものであり、例えば扉Ｄのフック部分に設けられたスイッチによって構成されている。スイッチは信号線を介して制御盤５と接続され、扉Ｄが閉じている時、つまりスイッチが押下された状態である閉動作を検出すると、制御盤５に閉信号を送信する。さらにスイッチは扉Ｄが開いている時、つまりスイッチが押下されていない状態である開動作を検出すると、制御盤５に開信号を送信するものである。
【００３７】
手動起動手段は、防護領域の外側（例えば制御盤５）に設けられたスイッチによって構成され、利用者等がスイッチを手動操作することで、手動により泡水溶液供給手段（泡水溶液容器３、加圧ガス容器３ａ及び電動弁３ｂ等）に泡水溶液の供給を開始させるものである。
【００３８】
警報手段は、個室ブースＢ内に向けて避難警報を発するスピーカーによって構成され、筐体６の側面または底面に設けられる。警報手段は火災感知器２が火災信号を検出し、制御手段（制御盤５）によって後述する閉鎖手段に閉信号が送信される際に、制御手段（制御盤５）によって利用者に扉Ｄが自動で閉鎖される旨及び、避難を促す旨の警報を出力する。
【００３９】
カウント手段は、制御手段（制御盤５）に設けられ、所定時間をカウントし、カウントが終了するとカウント信号を制御手段（制御盤５）の受信手段に出力する。
【００４０】
又、図２に示した例において、開閉手段は自動閉鎖可能なものとなっており、開閉手段の自動閉鎖を制御する閉鎖手段を含むものとなっている。
【００４１】
図２に示したように、制御手段（制御盤５）には、火災検出手段（火災感知器２）と、手動起動手段と、警報手段と、泡水溶液供給手段（具体的には電動弁３ｂ）と、開閉手段（扉Ｄ）と、開閉動作検出手段とが接続されている。そして、制御手段において、受信手段は、火災検出手段（火災感知器２）からの火災信号と、手動起動手段からの起動信号と、開閉動作検出手段からの開閉手段の開動作に基づく開信号及び閉動作に基づく閉信号と、カウント手段からのカウント信号を受信する。さらに送信手段は、泡水溶液供給手段への供給開始信号（電動弁３ｂへの開放信号）と、開閉手段（扉Ｄ）への閉鎖信号と、警報手段への警報発報信号とを送信するようになっている。
【００４２】
最後に、図３の動作フロー図に基づいて、高膨張泡消火装置１の火災時の動作について説明する。
【００４３】
平常時の待機状態からスタートし（ＳＳ）、火災が発生して、火災検出手段（火災感知器２）がその火災を検出すると、火災検出手段（火災感知器２）は火災信号を制御手段（制御盤５）の受信手段に送信する。制御手段（制御盤５）の受信手段が火災信号を受信すると（Ｓ１）、制御手段（制御盤５）はカウント手段に所定時間のカウントを開始させ（Ｓ２）、カウント手段が所定時間カウントし、カウント信号を出力したかどうかを制御手段（制御盤５）が判断する（Ｓ３）。
【００４４】
制御手段（制御盤５）は、カウント手段が所定時間をカウントしている間に、手動起動手段からの起動信号の有無または、出入り口の開閉手段（扉Ｄ）の開閉動作検出手段による開動作の開信号、及びその後の閉動作の閉信号の有無を判断している（Ｓ４）。
【００４５】
所定時間のカウント中に、その何れかがあった場合には、泡水溶液供給手段（電動弁３ｂ）に供給開始信号を送信する。これにより、防護領域内にいた利用者が開閉手段を開き、防護領域から避難したと判断できる。このため、利用者が避難した後即座に防護領域に高膨張泡を放出することができ、即座に泡を放出しても利用者が避難するのを妨げない。その後、電動弁３ｂを開放し、直ちに泡水溶液供給手段（泡水溶液容器３、加圧ガス容器３ａ及び電動弁３ｂ）に泡水溶液の供給を開始させ（Ｓ８）、発泡機４から高膨張泡を放出させて消火を開始させるようになっている。一方、このステップ（Ｓ３）において起動信号又は開閉信号が検出されることなく所定時間のカウントが終了したら、カウント手段はカウント信号を制御手段（制御盤５）の受信手段に送信する（Ｓ５）。制御手段（制御盤５）はカウント手段からカウント信号を受信したら、火災検出手段（火災感知器２）からの火災信号の受信の有無を再度判断する（Ｓ６）。火災信号の受信が引き続きあった場合、制御手段（制御盤２）は、その送信手段から開閉手段（扉Ｄ）の閉鎖手段に閉鎖信号を送信する。さらに、利用者に扉Ｄが自動で閉鎖される旨及び、避難を促す旨の警報を警報手段から出力させる警報発報信号を送信した上で（Ｓ７）、泡水溶液供給手段（電動弁３ｂ）に供給開始信号を送信する。これにより、利用者が避難する時間を確保すると共に、防護領域内に放出される高膨張泡が出入り口から漏れるのを防ぐことができる。そして、ステップ（Ｓ４）経由と同様、泡水溶液供給手段（泡水溶液容器３、加圧ガス容器３ａ及び電動弁３ｂ）に泡水溶液の供給を開始させ（Ｓ８）、発泡機４から高膨張泡を放出させて消火を開始させる。その後、所定の泡水溶液の供給を終えたら、処理を終了させる（ＳＥ）。尚、ステップ（Ｓ６）で火災信号の受信の有無を判断して、火災信号の受信がなかった場合は、誤報又は消火が行われたものと判断し、その段階で処理を終了させるようになっている（ＳＥ）。
【００４６】
なお、警報手段は利用者に扉Ｄが自動で閉鎖される旨及び、避難を促す旨の警報を行うものとしたが、例えば利用者に扉Ｄの閉鎖を促す旨の警報を行うものとすることで、利用者に開閉手段を閉鎖してから避難させるようにしても良い。これにより、高膨張泡が防護領域から漏れ出すのを防止できると共に、別途閉鎖手段を設ける必要が無くなるという効果を奏する。
【００４７】
また、発泡機４の後端側に設けられた空気導入口４ｃは、開口ＷＡを介して個室ブースＢの室外側に露出するように設けられているが、発泡機４の一部に開口を設けて、個室ブースＢ内の空気を取り込むようにしても良い。これにより、個室ブースＢの壁面に開口を設ける必要が無くなるので、取付が容易になるという効果を奏する。
【００４８】
また、開口ＷＡにファンを設け、強制的に空気を供給するようにしても良い。これにより、アスピレート式の発泡機４と比較して、発泡機本体の長さを短くすることができるので、筐体６をより小さくできるという効果を奏する。
【符号の説明】
【００４９】
１：高膨張泡消火装置  ２：火災感知器  ３：泡水溶液容器
３ａ：加圧ガス容器  ３ｂ：電動弁  ３ｃ：封板  ４：発泡機
４ａ：放射ノズル  ４ｂ：発泡網  ４ｃ：空気導入口  ４ｄ：本体
５：制御盤  ６：筐体  Ｂ：個室ブース  Ｌ１，Ｌ２：信号線
Ｐ１，Ｐ２：配管  Ｗ：壁  ＷＡ：開口
【図１】
0005766997.tif 000002
【図２】
0005766997.tif 000003
【図３】
0005766997.tif 000004